(57)【特許請求の範囲】
【請求項１】
塵芥投入箱に配置されたガイドレールに沿って昇降自在に設けられたパッカープレートと、このパッカープレートの下端部に回動自在に設けられたプレスプレートとを備えた塵芥収集車の塵芥積込装置において、
前記パッカープレートの下端部に塵芥の逆流を防止するための逆流防止板を固定配置し、かつ、前記プレスプレートの根元側に前記逆流防止板を収納可能な逆流防止板収納部を設け、
前記逆流防止板は、その底面の側面形状を前記プレスプレートの回動支点を半径中心とした円弧状に形成しており、前記逆流防止板収納部は、前記プレスプレートが前記逆流防止板に干渉されずに回動できるように前記逆流防止板に対応した形状に形成され、
前記プレスプレートが前記回動支点を支点として反転したとき、前記逆流防止板の底面が下方に露出した状態となり、この状態で、前記パッカープレートが前記ガイドレールに沿って下降するのに伴い、前記逆流防止板及び前記プレスプレートが下降し、前記逆流防止板は、前記底面が前記ガイドレールの下端から下方に突出した位置まで下降することを特徴とする塵芥収集車の塵芥積込装置。
【発明の詳細な説明】
【０００１】
【発明の属する技術分野】
本発明は、塵芥収容箱の中に積み込まれた塵芥の塵芥投入箱側へ逆流を防止するようにした塵芥収集車の塵芥積込装置に関する。
【０００２】
【従来の技術】
一般に、塵芥収集車では、車体上に塵芥収容箱が載置され、これの後方に塵芥を投入するための塵芥投入箱が連設されている。塵芥投入箱内では、投入された塵芥が塵芥積込装置により塵芥収容箱内に積み込まれるように構成されている。
【０００３】
前記塵芥積込装置の一例を、図３および図４によって説明する。この塵芥積込装置は、図３に示すように、塵芥投入箱１の両側板１ａ，１ａ（一方のみ図示）に各々前方上部から後方下部に向って傾斜する一対のガイドレール２，２を設け、この一対のガイドレール２，２間にパッカープレート３をガイドローラ４，４を介して昇降自在に設けるとともに、このパッカープレート３の下端部に枢軸５を介してプレスプレート６を回動自在に設け、プレスプレート６を図示しない回動用シリンダーにより枢軸５を支点に回動させ、パッカープレート３を図示しない昇降用シリンダーによりガイドレール２，２に沿って昇降させるように構成されている。パッカープレート３およびプレスプレート６の外幅寸法は、塵芥投入箱１の両側板１ａ，１ａの内幅寸法よりも少し狭く設定されている。これにより、パッカープレート３およびプレスプレート６は、両側板１ａ，１ａ間を塵芥を遮蔽しながら動作することができる。
【０００４】
次に、このように構成された塵芥積込装置の塵芥収容箱７への塵芥の積込動作を図４によって説明する。
【０００５】
先ず、前回の塵芥の積込が終了したときには、図４（ａ）に示すような状態にある。即ち、パッカープレート３は上昇終端位置にあり、プレスプレート６は正転終端位置にある。この状態で次回の塵芥が塵芥投入箱１内に投入される。
【０００６】
次に、プレスプレート６を、図４（ａ）の状態から図４（ｂ）に示す状態まで反転（図中反時計方向に回動）させる。これにより、プレスプレート６は、圧縮の始動状態にされる。
【０００７】
次に、パッカープレート３を、図４（ｂ）の状態から図４（ｃ）に示す状態までガイドレール２，２に沿って下降させる。パッカープレート３には、プレスプレート６が枢支されているので、プレスプレート６もパッカープレート３の下降に伴って同時に下降する。これにより、塵芥投入箱１のドラム板１ｂ上の塵芥がプレスプレート６により一次圧縮される。
【０００８】
次に、プレスプレート６を、図４（ｃ）の状態から図４（ｄ）に示す状態まで正転（図中時計方向に回動）させる。これにより、一次圧縮された塵芥がプレスプレート６により二次圧縮される。
【０００９】
次に、パッカープレート３を、図４（ｄ）の状態から図４（ａ）に示す状態までガイドレール２，２に沿って上昇させる。これにより、二次圧縮された塵芥がプレスプレート６により塵芥収容箱７内に積み込まれる。以上をもって一巡の積込サイクルが終了し、以後以上と同様の操作を繰り返す。
【００１０】
【発明が解決しようとする課題】
図３に示す塵芥積込装置では、前回の塵芥の積込が完了した状態から次回の塵芥の積込に移る際に、即ち、プレスプレート６が反転されると、図４（ｂ）に示すように、パッカープレート３の下端と塵芥投入箱１のドラム板１ｂの前方上端１ｂ’の間に大きな開口部（図示Ａ部）が形成される。そのため、塵芥収容箱７が満杯に近い状態になると、前回の積込サイクルで塵芥収容箱７の中に積み込まれた塵芥の一部が前記開口部Ａから塵芥投入箱１側に逆流することがある。これにより、次回の塵芥投入箱１への塵芥投入量が制限され、塵芥の積込効率が悪化する等の不具合がある。
【００１１】
本発明は、このような事情に鑑みてなされたもので、塵芥収容箱の中に積み込まれた塵芥の塵芥投入箱側への逆流を防止することができる塵芥収集車の塵芥積込装置を提供することを目的とする。
【００１２】
【課題を解決するための手段】
上記目的を達成するため、本発明は、塵芥投入箱に配置されたガイドレールに沿って昇降自在に設けられたパッカープレートと、このパッカープレートの下端部に回動自在に設けられたプレスプレートとを備えた塵芥収集車の塵芥積込装置において、前記パッカープレートの下端部に塵芥の逆流を防止するための逆流防止板を一体に設け、かつ、前記プレスプレートの根元側に前記逆流防止板を収納可能な逆流防止板収納部を設けている。
【００１３】
そして、前記逆流防止板は、その底面の側面形状をプレスプレートの回動支点を半径中心とした円弧状に形成しており、前記逆流防止板収納部は、プレスプレートが逆流防止板に干渉されずに回動できるように逆流防止板に対応した形状に形成され、前記プレスプレートが前記回動支点を支点として反転したとき、前記逆流防止板の底面が下方に露出した状態となり、この状態で、前記パッカープレートが前記ガイドレールに沿って下降するのに伴い、前記逆流防止板及び前記プレスプレートが下降し、前記逆流防止板は、前記底面が前記ガイドレールの下端から下方に突出した位置まで下降する。
【００１４】
【発明の実施の形態】
以下、本発明に係る塵芥収集車の塵芥積込装置の一実施形態を図１および図２によって説明する。尚、図３および図４と同一または対応部分には同一符号を付して説明する。
【００１５】
本実施形態の塵芥積込装置は、図１に示すように、パッカープレート３の下端部に逆流防止板８を一体に設け、プレスプレート６に逆流防止板８を収納可能な逆流防止板収納部９を設けている。逆流防止板８は、その側面形状が略扇形であり、その底面８ａはプレスプレート６の枢軸５を半径中心とした円弧状に形成され、パッカープレート３の下端部に固定配置されている。逆流防止板収納部９は、その側面形状が逆流防止板８と略同一形の略扇形であり、プレスプレート６の根元側に貫通開口して形成され、プレスプレート６が逆流防止板８に干渉されずに回動できるように構成されている。逆流防止板８の外幅寸法は、パッカープレート３の外幅寸法よりも少し狭く設定されている。これにより、塵芥投入箱１の両側板１ａ，１ａと逆流防止板８の間で塵芥を遮蔽することができる。逆流防止板収納部９の内幅寸法は、逆流防止板８の外幅寸法と略同一に設定されている。これにより、プレスプレート６と逆流防止板８の間に塵芥が挟まるのを防止することができる。
【００１６】
次に、本発明の塵芥積込装置の積込動作を図２によって説明する。
【００１７】
先ず、前回の塵芥の積込が終了したときには、図２（ａ）に示すような状態にある。即ち、パッカープレート３は上昇終端位置、プレスプレート６は正転終端位置にあり、パッカープレート３の下端部に設けられた逆流防止板８はプレスプレート６の逆流防止板収納部９に収納されている。この状態で次回の塵芥が塵芥投入箱１内に投入される。
【００１８】
次に、プレスプレート６を、図２（ａ）の状態から図２（ｂ）に示す状態まで枢軸５を支点に反転（図中反時計方向に回動）させる。プレスプレート６を反転させると、パッカープレート３の下端部に設けられた逆流防止板８がパッカープレート３の下方に突出した状態となる。そのため、逆流防止板８によりパッカープレート３の下端と塵芥投入箱１のドラム板１ｂの前方上端１ｂ’の間の開口部Ａが狭くなる。これにより、塵芥収容箱７の中に積み込まれた塵芥は、逆流防止板８によって塵芥投入箱１側への逆流が防止されることになる。
【００１９】
次に、パッカープレート３を、図２（ｂ）の状態から図２（ｃ）に示す状態までガイドレール２，２に沿って下降させる。パッカープレート３には、プレスプレート６および逆流防止板８が枢支および固定されているので、プレスプレート６および逆流防止板８もパッカープレート３の下降に伴って同時に下降する。これにより、塵芥投入箱１のドラム板１ｂ上の塵芥がプレスプレート６および逆流防止板８により一次圧縮される。
【００２０】
次に、プレスプレート６を、図２（ｃ）の状態から図２（ｄ）に示す状態まで正転させる。これにより、一次圧縮された塵芥がプレスプレート６により二次圧縮される。プレスプレート６を正転させると、パッカープレート３の下端部に設けられた逆流防止板８がプレスプレート６の逆流防止板収納部９に再び収納される。
【００２１】
次に、パッカープレート３を、図２（ｄ）の状態から図２（ａ）に示す状態までガイドレール２，２に沿って上昇させる。これにより、二次圧縮された塵芥がプレスプレート６および逆流防止板８により塵芥収容箱７の中に積み込まれる。以上をもって一巡の積み込みサイクルが終了し、以後以上と同様の操作を繰り返す。
【００２２】
【発明の効果】
以上述べたように、本発明によれば、パッカープレートの下端部に塵芥の逆流を防止するための逆流防止板を一体に設け、プレスプレートの根元側に前記逆流防止板を収納可能な逆流防止板収納部を設けたことにより、プレスプレートを反転させても、逆流防止板によりパッカープレートの下端と塵芥投入箱のドラム板の前方上端の間の開口部を狭くすることができ、塵芥収容箱の中に積み込まれた塵芥の塵芥投入箱側への逆流を防止させて積込能率の向上を期待することができる。また、パッカープレートを下降させてプレスプレートによって一次圧縮させるとき、逆流防止板によって塵芥を破砕圧縮する効果があり、一次圧縮で塵芥を大幅に減容することが可能である。しかも、パッカープレートに逆流防止板を設け、プレスプレートに逆流防止板収納部を設けただけであり、構造が簡単で製造コストの高騰を回避することができる。
【図面の簡単な説明】
【図１】本発明に係る塵芥収集車の塵芥積込装置を示す縦断側面図。
【図２】本発明に係る塵芥収集車の塵芥積込装置の動作状態を示す概略図。
【図３】従来の塵芥収集車の塵芥積込装置を示す縦断側面図。
【図４】
【符号の説明】
１  塵芥投入箱
１ｂ  ドラム板
２  ガイドレール
３  パッカープレート
４  ガイドローラ
５  枢軸
６  プレスプレート
７  塵芥収容箱
８  逆流防止板
９  逆流防止板収納部
【図１】
0004484127.tif 000002
【図２】
0004484127.tif 000003
【図３】
0004484127.tif 000004
【図４】
0004484127.tif 000005